(57)【特許請求の範囲】
【請求項１】
シャーシと、
記録媒体を保持すると共に、前記シャーシ内の収納位置と前記シャーシから引き出された排出位置との間で移動可能な構成とされたトレイと、
前記シャーシに設けられた発光手段と、
前記トレイに設けられると共に光が内部を通過できる構成とされており、前記トレイが前記収納位置に位置したときに前記発光手段と対向し前記発光手段が発する光を受光する受光部と、該受光部で受光した光を前記トレイの外部から視認できるよう表示する表示部とを設けてなる光表示部材とを具備することを特徴とする記録媒体装着装置。
【請求項２】
請求項１記載の記録媒体装着装置において、
前記トレイを前記収納位置にロックするロック位置と該ロックを解除するアンロック位置との間で移動するロック部材を有するロック機構を設けると共に、前記光表示部材を第１の位置と第２の位置との間で移動可能な構成とし、
前記光表示部材が前記第１の位置から第２の位置へ移動することにより、前記ロック部材をロック位置からアンロック位置に移動付勢する構成としたことを特徴とする記録媒体装着装置。
【発明の詳細な説明】
【０００１】
【発明の属する技術分野】
本発明は記録媒体装着装置に係り、特にディスク装置等に搭載されて記録媒体（ディスク）を装着位置と排出位置との間で搬送する記録媒体装着装置に関する。
【０００２】
【従来の技術】
例えばデータベースやソフトウエアなどの情報を記憶させる記憶媒体として、レーザ式ピックアップにより再生されるコンパクトディスク（直径１２cm又は８cm）が使用されつつある。そのため、小型化されたノート型パソコン等にも組み込めるように、シャーシ（筐体）内に内蔵されるディスク装置（内蔵形ＣＤ−ＲＯＭドライブ装置）の開発が行われている。また、ディスク装置には、ディスクを再生処理が行われる装着位置と、ディスクをディスク装置に対して装着脱する排出位置との間で移動させる記録媒体装着装置が搭載されている。
【０００３】
一般的のディスク装置に搭載される記録媒体装着装置は、ディスクが載置されるトレイをモータで駆動しており、トレイがシャーシ外に移動するとディスクをトレイ内のターンテーブル上に載置し、再びモータの駆動力によりトレイをシャーシに戻すようになっている。
【０００４】
しかるに、上記のようにトレイをモータで駆動する方式では、トレイを駆動するためのモータ及び駆動力をトレイに伝達する伝達機構が必要であり、その分ディスク装置を小型化、薄型化することが難しく、ノート型パソコンの筐体に組み込むことができなかった。
【０００５】
また、上記した記録媒体装着装置は、ディスク全体がトレイ内に設けられた有底環状の凹部であるディスク載置部に載置される構成とされていた。このため、トレイの横幅寸法は、ディスクの直径よりも大きくなるように設定されていた。その結果、従来のディスク装置では、トレイの横幅寸法が大きくなってしまい、装置全体が大きくなって小型化を図ることが難しかった。
【０００６】
このため、上記のようなモータ及び伝達機構を不要にし、トレイを手動操作によりシャーシ内のディスク収納位置又はシャーシ外の引き出し位置に移動させる構成の記録媒体装着装置を搭載したディスク装置が開発されつつある。
【０００７】
図６は、この種のディスク装置１００を示している。このディスク装置１００に搭載された記録媒体装着装置は、ディスク（図示せず）が載置されると共に一片側をディスクの一部がはみ出すように切り欠いた形状とされたトレイ１０２と、このトレイ１０２を移動可能に保持するシャーシ１１０とを具備した構成とされている。
【０００８】
具体的には、トレイ１０２はガイドレール機構１０４によりシャーシ１１０に対し、ディスクを排出位置（ディスクをトレイ１０２に対し装着脱する位置）と、収納位置（トレイ１０２をシャーシ１１０内の収納部１０３に収納する位置）との間で移動可能な構成されている。
【０００９】
また、シャーシ１１０には、トレイ１０２が収納位置にあるとき、トレイからディスクがはみ出した部分を収納するカバー部１１０ａが設けられている。この構成とすることにより、トレイ１０２の横幅寸法を小さくすることができ、ディスク装置の小型化を図ることが可能となる。
【００１０】
また、光学式ピックアップ１０５及びターンテーブル１０６は、トレイ１０２に配設されている。よって、シャーシ１１０に配設されたプリント基板１２２（再生処理のための各種電子部品が搭載されている）と、光学式ピックアップ１０５及びターンテーブル１０６は、ＦＰＣ（フレキシブルプリント基板）１０９により電気的に接続されている。
【００１１】
ところで、ディスクが収納位置に装着され再生処理を行なう際、ディスクが容易に変異すると良好な再生処理を行なうことができない。このため、記録媒体装着装置には、トレイ１０２が収納位置に位置したときトレイ１０２の移動をロックするロック機構が設けられている。
【００１２】
このロック機構は、ロックアーム１０７，ソレノイド１０８，イジェクトスイッチ１１７，及びロックピン１１９等により構成されている。ロックアーム１０７はシャーシ１１０に回動可能に取り付けられており、ロック爪１０７ａ，接続部１０７ｂが形成されている。ロック爪１０７ａはトレイ１０２に設けられているロックピン１１９と係合し、また接続部１０７ｂはソレノイド１０８と接続した構成とされている。
【００１３】
ロックアーム１０７に形成されたロック爪１０７ａは、トレイ１０２が図中矢印Ｘ２方向に移動し収納位置に達したときにロックピン１１９と係合しトレイ１０２の移動をロックする構成とされている。このロック状態において、トレイ１０２はプリント基板１２２に配設された位置センサ１２５と係合するよう構成されており、これによりトレイ１０２が収納位置に達したことを検知できる。また、トレイ１０２が収納位置にある時、シャーシ１１０に設けられたコイルバネ１２６はトレイ１０２に押圧されて圧縮された状態となっている。
【００１４】
一方、トレイ１０２を収納位置から排出位置に移動させるには、トレイ１０２に配設されているスイッチ釦１１２を操作する。このスイッチ釦１１２はトレイ１０２の前面ベゼル１１１に形成された釦ホール１１３に配設されており、またトレイ１０２内においてスイッチ釦１１２と対抗する位置にはイジェクトスイッチ１１７が設けられている。
イジェクトスイッチ１１７は、トレイ１０２に設けられたＦＰＣ１１８に固定されており、スイッチ釦１１２が押圧操作されることによりＯＮとなるスイッチである。このイジェクトスイッチ１１７は、ＦＰＣ１１８及びシャーシ１１０とトレイ１０２を電気的に接続するＦＰＣ１０９を介してプリント基板１２２に電気的に接続されている。
【００１５】
ソレノイド１０８は、前記のように接続部１０７ｂを介してロックアーム１０７に機械的に接続されており、かつ、プリント基板１２２とはＦＰＣ１０９を介して電気的に接続されている。また、ソレノイド１０８はスイッチ釦１１２がＯＮとなると、プリント基板１２２Ｉ実装されたコントローラ（図示せず）がソレノイド駆動トランジスタ（図示せず）をＯＮすることにより、ロックアーム１０７を図中時計方向に回動するよう駆動する構成とされている。
従って、スイッチ釦１１２がＯＮとなることにより、ロックアーム１０７は回動してロック爪１０７ａとロックピン１１９の係合は解除される。これにより、ロックアーム１０７によるトレイ１０２のロックは解除され、トレイ１０２は図中矢印Ｘ１方向に移動可能となる。
【００１６】
また、前記のようにトレイ１０２は収納位置にあるときにコイルバネ１２６を圧縮しているため、トレイ１０２のロックが解除されることにより、コイルバネ１２６の弾性復元力により、トレイ１０２は図中矢印Ｘ１方向に押し出される。従って、トレイ１０２の一部はシャーシ１１０から飛び出した状態となり、操作者はこのトレイ１０２のシャーシ１１０から飛び出した部分を把持して、トレイ１０２を排出位置まで引き出し、これによりトレイ１０２は排出位置に至る。
【００１７】
また、スイッチ釦１１２の側部位置には、ＬＥＤ（発光ダイオード）１１４が配設されている。このＬＥＤ１１４は、ディスク装置１００が動作しているときに点灯し、操作者にディスク装置１００が動作していることを知らせるものである。このため、前面ベゼル１１１にはＬＥＤホール１１５が形成されており、ＬＥＤ１１４はその内部に配設されている。また、ＬＥＤ１１４はＦＰＣ１１８に配設されており、ＦＰＣ１１８，１０９を介してプリント基板１２２に接続されている。
【００１８】
上記のように、従来の記録媒体装着装置では、スイッチ釦１１２を操作することによりイジェクトスイッチ１１７がＯＮとなり、これによりソレノイド１０８が駆動してトレイ１０２のロックが解除される構成とされている。即ち、従来の記録媒体装着装置では、電気的な手段によりトレイ１０２のロック解除を行なう構成とされている。
【００１９】
しかしながら、電気的な手段のみによりトレイ１０２のロック解除を行なう構成では、例えばＦＰＣ１０９，１１８が不良となりソレノイド１０８の駆動ができなくなった場合には、トレイ１０２のロックを解除することが不可能となり、ディスクをディスク装置１００から取り出すことができなくなってしまう（以下、この状態をエマージェンシー状態という）。このため、従来の記録媒体装着装置では、エマージェンシー状態となってもロックアーム１０７によるトレイ１０２のロックを解除する、エマージェンシー用ロック解除機構が設けられている。
【００２０】
エマージェンシー用ロック解除機構は、エマージェンシー用棒１２０およびエマージェンシー用レバー１２３により構成されている。エマージェンシー用棒１２０は棒状の部材であり、トレイ１０２に図中矢印Ｘ１，Ｘ２方向に移動可能に配設されている。このエマージェンシー用棒１２０の図中矢印Ｘ１方向の端部は、前面ベゼル１１１に形成されたイジェクト用ホール１２１と対抗するよう構成されている。
【００２１】
また、エマージェンシー用レバー１２３は略く字状の部材であり、シャーシ１１０に植設された支軸１２４に回動自在に軸承されている。このエマージェンシー用レバー１２３の一方の端部１２３ａは、トレイ１０２が収納位置にロックされた状態において、エマージェンシー用棒１２０の図中矢印Ｘ２方向端部と対峙するよう構成されている。また、エマージェンシー用レバー１２３の他方の端部１２３ｂは、ロックアーム１０７の接続部１０７ｂに接続されている。
【００２２】
上記構成とされたエマージェンシー用ロック解除機構は、記録媒体装着装置がエマージェンシー状態となった時、ロックアーム１０７によるトレイ１０２のロックを解除する機能を奏する。即ち、記録媒体装着装置がエマージェンシー状態となった時、操作者はイジェクト用ホール１２１から細い棒状体を挿入し、エマージェンシー用棒１２０を図中矢印Ｘ２方向に移動させる。
【００２３】
前記のようにエマージェンシー用棒１２０の図中矢印Ｘ２方向の端部はエマージェンシー用レバー１２３の端部１２３ａと対峙した構成とされている。このため、エマージェンシー用棒１２０が図中矢印Ｘ２方向に移動することにより、エマージェンシー用レバー１２３は支軸１２４を中心として図中反時計方向に回動する。
【００２４】
このようにエマージェンシー用レバー１２３が回動することにより、端部１２３ｂはロックアーム１０７の接続部１０７ｂを押圧する。従って、ロックアーム１０７は操作者の手動操作により図中時計方向に回動し、ロックピン１１９とロック爪１０７ａの係合は解除される。これにより、ロックアーム１０７によるトレイ１０２のロックを手動により解除することができる。
【００２５】
【発明が解決しようとする課題】
しかしながら、従来の記録媒体装着装置では、ＬＥＤ１１４が前面ベゼル１１１に配設された構成であったため、ＬＥＤ１１４の配線をシャーシ１１０に設けられたプリント基板１２２から前面ベゼル１１１まで、ＦＰＣ１０９，１１８を用いて長く引き出す必要があった。このため、各ＦＰＣ１０９，１１８の配線数が増大し、高コストの各ＦＰＣ１０９，１１８を用いる必要があった。
【００２６】
また、ＬＥＤ１１４の駆動回路はプリント基板１２２に配設されているため、プリント基板１２２とＬＥＤ１１４との距離が長いと、ＦＰＣ１０９，１１８においてＬＥＤ駆動電流の減衰が発生する。よって、この減衰を考慮してＬＥＤ１１４の駆動回路は高電流をＬＥＤ１１４に向け流す必要があり、消費電流が増大してしまうという問題点があった。
【００２７】
更に、発光手段となるＬＥＤ１１４が前面ベゼル１１１に配設された構成では、操作者が前面ベゼル１１１或いはスイッチ釦１１２を操作する際、操作者とＬＥＤ１１４との間でＬＥＤホール１１５を介して静電気の放電が発生し、ディスク装置１００に配設されている電子部品が破壊されるおそれがあるという問題点もあった。
【００２８】
本発明は上記の点に鑑みてなされたものであり、装置構成の簡単化及び小型化を図りうると共に、静電気による部品破壊の防止を図りうる記録媒体装着装置を提供することを目的とする。
【００２９】
【課題を解決するための手段】
上記の課題を解決するために本発明では、次に述べる各手段を講じたことを特徴とするものである。
【００３０】
請求項１記載の発明は、
シャーシと、
記録媒体を保持すると共に、前記シャーシ内の収納位置と前記シャーシから引き出された排出位置との間で移動可能な構成とされたトレイと、
前記シャーシに設けられた発光手段と、
前記トレイに設けられると共に光が内部を通過できる構成とされており、前記トレイが前記収納位置に位置したときに前記発光手段と対向し前記発光手段が発する光を受光する受光部と、該受光部で受光した光を前記トレイの外部から視認できるよう表示する表示部とを設けてなる光表示部材とを具備することを特徴とするものである。
【００３１】
上記の発明によれば、シャーシ側に発光手段を設けたため、シャーシとトレイとの間を電気的に接続する配線数を少なくすることができ、コスト低減を図ることができる。また、発光手段用の配線を他の信号に割り当てることが可能となり、信号のＳ／Ｎを改善することができる。
【００３２】
また、従来のようにＬＥＤをトレイ前面に配設した構成では、ＬＥＤと操作者との間で静電気の放電が発生し、これによりディスク装置に配設されている電子部品が損傷してしまうおそれがある。しかしながら、上記発明では、発光手段がシャーシ側に配設されているため、発光手段と操作者との間で静電気の放電が発生することを防止でき、よってディスク装置に配設されている電子部品が損傷を防止することができる。
【００３３】
また、請求項２記載の発明は、
請求項１記載の記録媒体装着装置において、
前記トレイを前記収納位置にロックするロック位置と該ロックを解除するアンロック位置との間で移動するロック部材を有するロック機構を設けると共に、前記光表示部材を第１の位置と第２の位置との間で移動可能な構成とし、
前記光表示部材が前記第１の位置から第２の位置へ移動することにより、前記ロック部材をロック位置からアンロック位置に移動付勢する構成としたことを特徴とするものである。
【００３４】
上記発明によれば、光表示部材はロック機構の一部を構成するため、光の表示機能と共にトレイのロック／アンロックを行う機能も奏する。よって、部品点数の削減を図ることができ、また記録媒体装着装置の構成の簡単化及び小型化を図ることができる。
【００３５】
【発明の実施の形態】
次に、本発明の実施の形態について図面と共に説明する。
【００３６】
図１及び図２は、本発明の一実施例である記録媒体装着装置を搭載したディスク装置１を示している。図１はトレイ２をシャーシ１０から引き出した状態（以下、この状態を排出状態といい、この時のトレイ２の位置を排出位置という）を示す平面図であり、図２はトレイ２をシャーシ１０に収納した状態（以下、この状態を収納状態といい、この時のトレイ２の位置を収納位置という）を示す三面図である。このディスク装置１は、例えばノート型パソコン（図示せず）の筐体に内蔵される内蔵形の装置である。
【００３７】
図１及び図２に示すように、ディスク装置１は、大略するとトレイ２，ガイドレール機構４，ターンテーブル６，ピックアップ組立体７，ロック機構９，及びシャーシ１０（筐体）等により構成されている。尚、図１及び図２は、いずれもシャーシ１０の上部に覆うよう配設される天板（図示せず）を取り外した状態を示している。
【００３８】
トレイ２は、ターンテーブル６，ピックアップ組立体７，ディスク載置部２ａ，及びロック機構９の一部を構成するイジェクト棒２２等が設けられた構成とされている。このトレイ２は、シャーシ１０に対して図中矢印Ｘ１，Ｘ２方向に移動可能な構成とされている。
【００３９】
即ち、シャーシ１０の両側部にはガイドレール機構４が設けられており、このガイドレール機構４が矢印Ｘ１，Ｘ２方向に伸長或いは収縮することにより、トレイ２はシャーシ１０に対して矢印Ｘ１，Ｘ２方向に移動する構成とされている。このように、ガイドレール機構４を用いることにより、図１に示すようにトレイ２をシャーシ１０に対して矢印Ｘ１方向に大きく引き出すことができるため、トレイ２に対するディスク３の装着脱を容易に行なうことができる。
【００４０】
また、ターンテーブル６は、トレイ２の略中央位置に配設されている。このターンテーブル６はディスク３が装着されるものであり、トレイ２の下部に配設されたスピンドルモータ（図示せず）により回転する構成とされている。これにより、ターンテーブル６に装着されたディスク３も回転する構成とされている。本実施例では、ディスク回転速度は３２倍速とされており、再生時においてディスク３は高速回転する。
【００４１】
また、トレイ２には、光学式ピックアップ５をディスク３の半径方向（図中矢印Ｚ１，Ｚ２方向）に移動させるピックアップ組立体７が配設されている。光学式ピックアップ５は、ディスク３に対してレーザ光を照射すると共に、その反射光を受光することにより再生処理を行なうものである。
【００４２】
また、トレイ２の前面部には、前面ベゼル１１が配設されている。よって、この前面ベゼル１１は、トレイ２と一体的に矢印Ｘ１，Ｘ２方向に移動する。この前面ベゼル１１の図中矢印Ｙ１方向の端部近傍には、外側に向け突出する凸部１１ａが形成されており、この凸部１１ａの中央にはホール１１ｂ（図３参照）が形成されている。
【００４３】
更に、トレイ２の裏面で図中矢印Ｙ１方向の側部には、イジェクト棒２２が図中矢印Ｘ１，Ｘ２方向に延在するよう配設されている。このイジェクト棒２２は、ロック機構９の一部を構成するものである。尚、説明の便宜上、イジェクト棒２２の説明は、ロック機構９の説明と共に後述するものとする。
【００４４】
上記構成とされたトレイ２は、ディスク３の一部がトレイ２からはみ出るようにディスク３の外径よりも横幅寸法が小さくなるように形成されている。また本実施例では、トレイ２が矢印Ｘ１，Ｘ２方向に移動する際、モータ等の駆動手段を用いておらず、手動操作により引き出し位置と収納位置との間で移動させる構成とされている。
【００４５】
これにより、ディスク装置１には、トレイ２を移動させるための駆動機構（モータ及び伝達機構等よりなる）を設ける必要はなくなり、よってその分部品点数が減少し、ディスク装置１の小型化及び薄型化を図ることができる。更に、ディスク３の一部がトレイ２からはみ出しているため、ディスク３をトレイ２に装着脱する際、このディスク３のはみ出し部分を把持して装着脱できるため、装着脱操作を容易に行なうことができる。
【００４６】
次に、シャーシ１０について説明する。シャーシ１０は、大略するとトレイ２が収納される筐体状の収納部１０ａと、収納状態においてトレイ２からはみ出したディスク３を保護するカバー部１０ｂとにより構成されている。
【００４７】
収納部１０ａには、電子回路が配設されたプリント基板１３が設けられている。このプリント基板１３は、フレキシブル基板１５を用いてトレイ２に設けられた電子部品（光学式ピックアップ５，ターンテーブル６を回転させるモータ等）と電気的に接続されている。また、プリント基板１３には、コネクタ１４及びＬＥＤ（発行ダイオード）４０が配設されている。ディスク装置１は、このコネクタ１４を介してディスク装置１は外部機器（例えば、パーソナルコンピュータ等）に接続される構成とされている。また、ＬＥＤ４０は、ディスク３に対し記録再生処理を実施している際点灯し、後述するイジェクト棒２２に向け光を発射させる。
【００４８】
上記のように、フレキシブル基板１５を用いてトレイ２とシャーシ１０を電気的に接続することにより、シャーシ１０に対しトレイ２が移動する構成としても、トレイ２（光学式ピックアップ５，モータ等）とシャーシ１０（プリント基板１３）を確実に電気的に接続することができる。
【００４９】
一方、カバー部１０ｂは、前記したディスク３のトレイ２からはみ出した部分の下部を覆うよう構成されている。これにより、ディスク３のトレイ２に保持されない部位は、カバー部１０ｂにより保護される。尚、ディスク３のトレイ２からはみ出した部分の上部は、シャーシ１０上に装着される天板（図示せず）により保護される。
【００５０】
また、カバー部１０ｂの側壁１０ｃには、制動部材１９が配設されている。この制動部材１９は例えば弾性材により形成されており、収納位置にあるディスク３が引き出し位置に向け移動される際、ディスク３の外周と摺接するよう構成されている。
【００５１】
これにより、収納位置で再生／記録処理のために高速回転していたディスク３は、図中矢印Ｘ１方向への移動に伴い制動部材１９と摺接し、その回転が制動される。従って、収納位置から引き出し位置に移動した際、ディスク３は必ず停止した状態となっており、ディスク３に損傷が発生することを防止している。
【００５２】
また、シャーシ１０には、イジェクトスライダ１６及びコイルバネ１７が配設されている。このイジェクトスライダ１６及びコイルバネ１７は、シャーシ１０に配設されたプリント基板１３の下部で、図中矢印Ｙ１方向の側部に配設されている。イジェクトスライダ１６はトレイ２が収納位置に位置した際、トレイ２の図中矢印Ｘ２方向端部と当接し押圧されるよう構成されている。
【００５３】
また、イジェクトスライダ１６はコイルバネ１７により、常に図中矢印Ｘ１方向に付勢された構成となっている。従って、トレイ２が収納位置に位置することにより、イジェクトスライダ１６はトレイ２に押圧され、コイルバネ１７は弾性力を蓄成する。
【００５４】
ところで、再生時に誤ってトレイ２がシャーシ１０から引き出されると、ディスク３及びディスク装置１を構成する各部品・装置が損傷するおそれがある。このため、記録媒体装着装置には、再生時（即ち、トレイ２が装着位置にある時）においてトレイ２がシャーシ１０から引き出されるのを防止するロック機構９が設けられている。以下、このロック機構９について、図１及び図２に加え、図３を用いて詳述する。
【００５５】
ロック機構９は、大略するとロックアーム２０，ソレノイド２１，イジェクト棒２２，及びロックピン２３等により構成されている。
【００５６】
ロックアーム２０は、シャーシ１０に植設された支軸２７に回動可能に取り付けられている。このロックアーム２０には、ロック爪２４，接続部２５，及びロック解除ピン２６が一体的に形成されている。ロック爪２４は、トレイ２に設けられているロックピン２３と係合する構成とされている。また、接続部２５は、ソレノイド２１の駆動ピン２１ａと接続されている。更に、ロック解除ピン２６は、図３に拡大して示すように、上方向に突出しており、後述するイジェクト棒２２と係合する構成とされている。
【００５７】
ロックアーム２０に形成されたロック爪２４は、トレイ２が図中矢印Ｘ２方向に移動し収納位置に位置することにより、ロックピン２３と係合しトレイ２の移動をロックする構成とされている。これにより、ディスク３に対して再生処理が行われているときにトレイ２がシャーシ１０から引き出されることを防止でき、ディスク３の保護及びディスク装置１を構成する各種装置に損傷が生じることを防止することができる。
【００５８】
また、トレイ２が収納位置に位置しロックされた状態において、トレイ２はプリント基板１３に配設されたイジェクト検出スイッチ４１と係合するよう構成されている。これにより、ディスク装置１の駆動制御を行なう制御装置（図示せず）は、イジェクト検出スイッチ４１からの信号に基づき、トレイ２が収納位置に位置しているか、また排出位置に位置しているかを判断することができる。
【００５９】
イジェクト棒２２は、トレイ２の図中矢印Ｙ１方向側部に、図中矢印Ｘ１，Ｘ２方向に延在するよう配設されている。このイジェクト棒２２は、図３に拡大して示すように略丸棒形状を有しており、操作/発光部３０，受光部３１，バネ掛け部３２，係止用凸部３３，及び係合用段差部３４を一体的に形成した構成とされている。また、このイジェクト棒２２は、内部を光が通過しうる材料（例えばアクリル樹脂等）により形成されている。
【００６０】
上記構成とされたイジェクト棒２２は、トレイ２に配設されたガイド（図示せず）により、図中矢印Ｘ１，Ｘ２方向に移動可能な構成とされている。また、バネ掛け部３２とバネ掛けピン３７（トレイ２に植設されている）との間にはコイルバネ３６が張架されており、このコイルバネ３６によりイジェクト棒２２は常に矢印Ｘ１方向に移動付勢されている。
【００６１】
しかしながら、イジェクト棒２２に形成された係止用凸部３３が、トレイ２に形成されたボス３８に係止されることにより、イジェクト棒２２はそれ以上の図中矢印Ｘ１方向への移動が規制されている。この状態において、イジェクト棒２２の図中矢印Ｘ１方向端部に形成されている操作/発光部３０は、前面ベゼル１１に形成されたホール１１ｂから若干量突出する構成とされている。
【００６２】
従って、操作者が操作/発光部３０を押圧操作することにより、イジェクト棒２２は、コイルバネ３６の弾性力に抗して図中矢印Ｘ２方向に移動する。尚、操作/発光部３０のホール１１ｂからの突出量は、ホール１１ｂを囲うように形成されている凸部１１ａの突出量よりは低く設定されており、これにより操作/発光部３０が誤操作されることを防止している。
【００６３】
また、受光部３１は鏡面加工がされており、イジェクト棒２２の側部に位置するよう形成されている。この受光部３１は、図２に示すように、トレイ２が収納位置に位置する状態において、プリント基板１３に配設されているＬＥＤ４０と対向するよう構成されている。従って、受光部３１と対向した状態においてＬＥＤ４０が点灯すると、ＬＥＤ４０の光は受光部３１に照射される。
【００６４】
上記のようにＬＥＤ４０からの光を受光部３１が受光すると、この光はイジェクト棒２２内に導かれ、イジェクト棒２２内を図中矢印Ｘ１方向に進行する。よって、操作者はＬＥＤ４０の光を操作/発光部３０から見ることができる。前記したように、ＬＥＤ４０はディスク３に対して再生処理が実施されている時に点灯するよう構成されている。従って、操作者は操作/発光部３０が光っているか否かにより、ディスク３に対して再生処理が実施されているか否かを判断することができる。
【００６５】
上記のように本実施例によれば、シャーシ１０に配設されたプリント基板１３にＬＥＤ４０（発光手段）を設けたため、シャーシ１０とトレイ２との間を電気的に接続する配線数を少なくすることができる。即ち、ＦＰＣ１５の配線数を少なくすることができる。よって、ＦＰＣ１５の配線数を少なくした場合には、ＦＰＣ１５のコスト低減を図ることができる。また、ＬＥＤ４０用の配線を従来と同数とした場合には、空いた配線を他の信号に割り当てることが可能となり、信号のＳ／Ｎを改善することができる。
【００６６】
また、プリント基板１３にはＬＥＤ４０を駆動する駆動回路が設けられているが、本実施例のように、この駆動回路が設けられたプリント基板１３にＬＥＤ４０を配設することにより、ＬＥＤ駆動電流の減衰を考慮する必要がなくなり、ＬＥＤ４０の発光効率の向上、及び記録媒体装着装置の消費電流の低減を図ることができる。
【００６７】
また、従来のようにＬＥＤ１１４を前面ベゼル１１１に配設した構成では、ＬＥＤ１１４と操作者との間で静電気の放電が発生し、これによりディスク装置１内に配設されている電子部品が損傷してしまうおそれがあることは前述した通りである。しかしながら、本実施例によれば、ＬＥＤ４０がシャーシ１０側に配設されているため、ＬＥＤ４０と操作者とは大きく離間した状態となる。これにより、ＬＥＤ４０と操作者との間で静電気の放電が発生することを防止でき、よってディスク装置１内に配設されている電子部品が損傷を防止することができる。
【００６８】
更に、従来のＬＥＤ１１４は、可撓性を有し容易に変形するＦＰＣ１１８に直接実装されていたため実装信頼性が低かった。これに対し、本実施例ではハード基板であるプリント基板１３上にＬＥＤ４０が配設されているため、ＬＥＤ４０の実装信頼性を向上させることができる。
【００６９】
続いて、上記したロック機構９の動作について説明する。
【００７０】
まず、トレイ２を排出位置にある状態（図１に示す状態）から図２に示す装着位置に移動させる動作について説明する。トレイ２を収納位置に移動させるには、操作者は前面ベゼル１１を把持してトレイ２を図中矢印Ｘ２方向に移動させる。これにより、トレイ２はガイドレール機構４にガイドされつつ、図中矢印Ｘ２方向に移動する。この時、イジェクト棒２２は図中矢印Ｘ１方向に移動しており、係止用凸部３３がボス３８と当接することにより、操作/発光部３０が前面ベゼル１１のホール１１ｂから若干量突出した状態となっている。
【００７１】
そして、トレイ２が収納位置まで移動されると、トレイ２に設けられているロックピン２３は、ロックアーム２０のロック爪２４と係合する。この状態において、トレイ２はロック機構９によりシャーシ１０にロックされた状態となり、図中矢印Ｘ１方向への移動が規制される。
【００７２】
また、トレイ２が収納位置まで移動することにより、トレイ２はイジェクト検出スイッチ４１と係合し、イジェクト検出スイッチ４１はディスク装置１の制御装置に対してトレイ２が収納位置に位置したことを知らせる。更に、トレイ２の図中矢印Ｘ２方向端部はイジェクトスライダ１６を押圧し、コイルバネ１７はイジェクトスライダ１６を介してトレイ２を図中矢印Ｘ１方向に付勢する。
【００７３】
ここで、収納状態におけるトレイ２に設けられたイジェクト棒２２に注目すると、収納状態においてイジェクト棒２２の受光部３１はＬＥＤ４０と対峙する構成とされている。従って、ＬＥＤ４０が点灯すると、前記したようにＬＥＤ４０から発せられた光は受光部３１からイジェクト棒２２内に取り込まれ、内部を進行して操作／発光部３０からＬＥＤ４０の点灯を視認することができる。
【００７４】
また、収納状態において、イジェクト棒２２に形成された係合用段差部３４はロックアーム２０に形成されたロック解除ピン２６と隣接するよう構成されている（図２（Ｂ）に詳しい）。具体的には、係合用段差部３４はイジェクト棒２２の図中矢印Ｘ２方向端部に欠き状に形成されたものであり、その段差が形成された部位にロック解除ピン２６が位置するよう構成されている。
【００７５】
上記収納状態において、ディスク装置１はトレイ２に載置されたディスク３に対して再生処理を行なう。また、再生処理時には、操作/発光部３０が点灯するため、操作者はディスク装置１が再生処理状態であることを操作/発光部３０の点灯により確認することができる。
【００７６】
続いて、図２に示す装着状態より、トレイ２をシャーシ１０から引き出す処理（イジェクト処理）について説明する。
【００７７】
トレイ２をシャーシ１０から引き出すには、ロック機構９によるトレイ２のロックを解除する。本実施例にかかる記録媒体装着装置では、手動によりイジェクト処理を行なう手動イジェクト操作と、電動によりイジェクト処理を行なう電動イジェクト操作の二つの操作モードを有している。
【００７８】
手動によりイジェクト処理を行なう手動イジェクト操作は、操作者により実施されるイジェクト処理である。これに対し、電動によりイジェクト処理を行なう電動イジェクト操作は、例えばディスク装置１を接続したパーソナルコンピュータ側からディスク排出命令が出されたとき等に強制的に実施されるイジェクト処理である。
【００７９】
手動イジェクト操作によりロック機構９によるトレイ２のロックを解除するには、操作者は前面ベゼル１１に突出している操作/発光部３０を図中矢印Ｘ２方向に押圧操作する。これによりイジェクト棒２２はコイルバネ３６の弾性力に抗して矢印Ｘ２方向に移動し、イジェクト棒２２に形成されている係合用段差部３４はロックアーム２０のロック解除ピン２６を押圧する。
【００８０】
このように係合用段差部３４がロック解除ピン２６を押圧することにより、ロックアーム２０は支軸２７を中心として図中時計方向へ回動し、図４に示すように、ロック爪２４はロックピン２３から離脱する。これにより、ロック機構９によるトレイ２のロックは解除され、トレイ２は図中矢印Ｘ１方向に向け（排出位置に向け）移動可能な状態となる。
【００８１】
また、前記したように装着状態においては、コイルバネ１７は弾性力を蓄成した状態となっている。よって、ロック機構９によるロックが解除されることにより、コイルバネ１７に接続されているコイルバネ１７はトレイ２を図中矢印Ｘ１方向に向け移動させる。これにより、トレイ２の前面ベゼル１１側の一部はシャーシ１０から飛び出した状態となる。操作者は、このトレイ２のシャーシ１０から飛び出した部位を把持してトレイ２を排出位置まで引き出す。これにより、トレイ２は排出位置まで移動される。
【００８２】
上記のように本実施例の構成では、トレイ２の収納位置におけるロック機構９によるロックは、イジェクト棒２２（手動操作部材）の操作/発光部３０（操作部）を手動操作することにより行なうことができる。よって、従来用いられていた電気的なイジェクトスイッチ１１７（図６参照）を不要とすることができるため、静電気耐性が向上し、操作時に操作者と電子部品との間で静電気の放電が発生することを確実に防止することができる。よって、静電放電に起因して、記録媒体装着装置に設けられている電子部品が破壊されることを確実に防止することができる。
【００８３】
また、電気的なイジェクトスイッチ１１７を廃することに伴い記録媒体装着装置の部品点数を削減でき、また配線部品の個別不良を低減できるため、記録媒体装着装置の信頼生を向上させることができる。また、ＦＰＣ１５の配線数を少なくすることができるため、ＦＰＣ１５のコスト低減を図ることもできる。
【００８４】
また、イジェクトスイッチ１１７のフェイル時に備えて従来設けられていたエマージェンシー用棒１２０及びエマージェンシー用レバー１２３を不要とすることができ、これによっても記録媒体装着装置の部品点数の削減を図ることができる。更に、エマージェンシー用ホール１２１を無くすることができるため、このエマージェンシー用ホール１２１を介して静電気が装置内部に放電することを防止することができる。
【００８５】
一方、上記したように本実施例では、イジェクト棒２２を棒状としたことにより、トレイ２の他の構成に邪魔になることなく、またトレイ２の大型化を伴うことなく、イジェクト棒２２をトレイ２に配設することができる。また本実施例では、ロック機構９によるトレイ２の解除は、イジェクト棒２２の操作のみで行なうことができる。よって、ロック機構９の簡単化を図ることができ、これによっても記録媒体装着装置の部品点数削減を図ることができる。
【００８６】
更に、イジェクト棒２２は、上記したロック機構９としての機能の他に、ＬＥＤ４０の点灯を知らせる光表示部材としても機能している。よって、これによっても記録媒体装着装置の部品点数の削減、構成の簡単化、及び小型化を図ることができる。
【００８７】
一方、電動によりイジェクト処理を行なうには、ソレノイド２１を駆動する。ソレノイド２１が駆動することにより、駆動ピン２１ａと接続された接続部２５は図中矢印Ｘ１方向に移動され、図５に示すように、ロックアーム２０は図中時計方向に回動する。これにより、ロック爪２４はロックピン２３から離脱し、よってトレイ２は移動可能な構成となる。尚、ロック爪２４がロックピン２３から離脱した以降の処理は、前記した手動イジェクト操作と同じであるため、説明を省略するものとする。
尚、上記実施例では、記録媒体装着装置を配設する電子機器としてディスク装置を例に挙げて説明したが、本発明の適用はこれに限定されるものではなく、これ以外の例えば磁気ディスク装置或いは光磁気ディスク装置等にも広く適用できるものである。
【００８８】
【発明の効果】
上述の如く本発明によれば、次に述べる種々の効果を実現することができる。
【００８９】
請求項１記載の発明によれば、シャーシ側に発光手段を設けたため、シャーシとトレイとの間を電気的に接続する配線数を少なくすることができ、コスト低減を図ることができる。また、発光手段用の配線を他の信号に割り当てることが可能となり、信号のＳ／Ｎを改善することができる。  また発光手段と操作者との間で静電気の放電が発生することを防止でき、よって記録媒体装着装置に配設されている電子部品が損傷を防止することができる。
【００９０】
また、請求項２記載の発明によれば、光表示部材は光の表示機能と共にトレイのロック／アンロックを行う機能も奏するため、部品点数の削減を図ることができ、また記録媒体装着装置の構成の簡単化及び小型化を図ることができる。
【図面の簡単な説明】
【図１】本発明の一実施例である記録媒体装着装置を搭載したディスク装置を示す図であり、トレイが排出位置にある状態を示す図である。
【図２】本発明の一実施例である記録媒体装着装置を搭載したディスク装置を示す図であり、トレイが装着位置にある状態を示す図である。
【図３】本発明の一実施例である記録媒体装着装置を構成するロック機構の分解斜視図である。
【図４】本発明の一実施例である記録媒体装着装置の手動によるイジェクト動作を説明するための図である。
【図５】本発明の一実施例である記録媒体装着装置の電動によるイジェクト動作を説明するための図である。
【図６】従来の一例である記録媒体装着装置を搭載したディスク装置を示す図である。
【符号の説明】
１  ディスク装置
２  トレイ
３  ディスク
５  光学式ピックアップ
７  ピックアップ組立体
８  切り欠き部
９  ロック機構
１０  シャーシ
１０ａ  収納部
１１  前面ベゼル
１１ａ  凸部
１１ｂ  ホール
１３  プリント基板
１５  ＦＰＣ
１６  イジェクトスライダ
１７  コイルバネ
１８  コネクタ
２０  ロックアーム
２１  ソレノイド
２２  イジェクト棒
２３  ロックピン
２４  ロック爪
２５  接続部
２６  ロック解除ピン
３０  操作／発光部
３１  受光部
３２  バネ掛け部
３３  係止用凸部
３４  係合用段差部
３６  コイルバネ
３７  バネ掛けピン
４０  ＬＥＤ
４１  イジェクト検出スイッチ
【図１】
0003539366.tif 000002
【図２】
0003539366.tif 000003
【図３】
0003539366.tif 000004
【図４】
0003539366.tif 000005
【図５】
0003539366.tif 000006
【図６】
0003539366.tif 000007